(57)【要約】【課題】水受け槽底部への駆動手段の固定に必要となる基板を、加工しやすい形状にすることで、基板の応力集中をなくし、材料費や加工費を低減し、部品の信頼性を向上させる。【解決手段】水受け槽１１内に回転自在に配設した洗濯兼脱水槽２と、洗濯兼脱水槽２を駆動する駆動手段１４と、洗濯兼脱水槽２の上部に設けた流体バランサー１０と、洗濯兼脱水槽２の内底部に回転自在に配した回転翼１とを備え、駆動手段１４はクラッチ機構７とクラッチ機構７の直下に配置したモータ５を有し、水受け槽１１の底部には駆動手段１４を有した基板６を設けるとともに、基板６はクラッチ機構７と略同形状とし、基板６とクラッチ機構７とを同時に締結する補強板１３を有することにより、複雑な加工形状によって生じる応力集中をなくし、材料費や加工費を低減し、部品の信頼性を向上させることができる。【選択図】図１
2013126474.tif 000002
【特許請求の範囲】
【請求項１】
水受け槽内に回転自在に配設した洗濯兼脱水槽と、
前記洗濯兼脱水槽を駆動する駆動手段と、
前記洗濯兼脱水槽の上部に設けた流体バランサーと、
前記洗濯兼脱水槽の内底部に回転自在に配した回転翼とを備え、
前記駆動手段はクラッチ機構と前記クラッチ機構の直下に配置したモータを有し、
前期水受け槽の底部には前記駆動手段を有した基板を設けるとともに、
前記基板は前記クラッチ機構と略同形状とし、
前記基板と前記クラッチ機構とを同時に締結する補強板を有する洗濯機。
【発明の詳細な説明】
【技術分野】
【０００１】
本発明は、洗濯機の駆動機構の取り付け構造に関するものである。
【背景技術】
【０００２】
従来、代表的な洗濯機は、パルセーターと呼ばれる回転翼を回転させて洗濯するものであり、この種の洗濯機の構成を図を参照しながら説明する。
【０００３】
図４に示すように、洗濯兼脱水槽３２は、その底面部に上面中央部が凸形状の回転翼３１を回転自在に配設し、この洗濯兼脱水槽３２の外側に水受け槽４１を設けている。水受け槽４１の底面には、洗濯兼脱水槽３２と回転翼３１を駆動するモータ３５を、駆動部の洗濯脱水の切換を行うクラッチ機構３７を介して基板３６に取り付けている。また、水受け槽４１は外枠３４にサスペンション３３を介して防振支持している。洗濯兼脱水槽３２の上部には、液体を内封した流体バランサー４０を固定している。
【０００４】
制御装置４２は、モータ３５、排水弁３８、給水弁３９などを制御して、洗濯、すすぎ、脱水の一連の行程を逐次制御するものである（例えば、特許文献１参照）。
【０００５】
上記構成において動作を説明すると、洗濯兼脱水槽３２に洗濯物と所定量の洗剤を投入した後、洗濯を開始すると制御装置４２により給水弁３９を制御して洗濯兼脱水槽３２内に所定量の水を給水し、その後、制御装置４２により、モータ３５を制御して回転翼３１を駆動する。回転翼３１の回転によって洗濯兼脱水槽３２内の洗濯物と水とを攪拌し、洗濯物の汚れに作用することとなる。脱水時にはクラッチ機構３７を切り替えることにより、洗濯兼脱水槽３２を高速回転し、遠心力により内包した衣類の水分を除去しすすぎ、脱水をすることとなる。
【先行技術文献】
【特許文献】
【０００６】
【特許文献１】特開２００７−３１９５７８号公報
【発明の概要】
【発明が解決しようとする課題】
【０００７】
しかしながら、この構成の洗濯機の場合、脱水時の内包した衣類のアンバランスから発生する洗濯兼脱水槽の変位を低減するために、図３に示すように、クラッチ機構３７やモータ３５を取り付けた基板３６は水受け槽底部を覆い隠すほどの大きさを要していた。そのため加工が複雑で加工形状により応力集中が発生しやすく、部品の信頼性が低下したり、材料費も加工費も大幅に費やされるという問題を有していた。
【０００８】
本発明は、上記従来の課題を解決することを目的としている。
【課題を解決するための手段】
【０００９】
本発明は上記課題を解決するもので、水受け槽内に回転自在に配設した洗濯兼脱水槽と、前記洗濯兼脱水槽を駆動する駆動手段と、前記洗濯兼脱水槽の上部に設けた流体バランサーと、前記洗濯兼脱水槽の内底部に回転自在に配した回転翼とを備え、前記駆動手段はクラッチ機構と前記クラッチ機構の直下に配置したモータを有し、前期水受け槽の底部には前記駆動手段を有した基板を設けるとともに、前記基板は前記クラッチ機構と略同形状とし、前記基板と前記クラッチ機構とを同時に締結する補強板を有することを特徴としている。
【００１０】
これにより、水受け槽底部を覆い隠すほどの大きさを要していた基板を小型化することで加工を容易にし、これによって応力集中が低減でき、部品の信頼性が向上したり、材料費や加工費を低減することができるようになる。そのため信頼性の高い安価な洗濯機を実現することができる。
【発明の効果】
【００１１】
本発明の洗濯機は、信頼性の高い安価な洗濯機を実現することができる。
【図面の簡単な説明】
【００１２】
【図１】本発明の実施の形態１における洗濯機の縦断面図
【図２】（ａ）同本発明の実施の形態１における洗濯機の水受け槽の底部から見た矢視図  （ｂ）同洗濯機の水受け槽の底部から見た基板の平面図  （ｃ）同洗濯機の水受け槽の底部から見た補強板の平面図
【図３】（ａ）従来の洗濯機の水受け槽の底部から見た矢視図  （ｂ）従来の洗濯機の水受け槽の底部から見た基板の平面図
【図４】従来の洗濯機の縦断面図
【発明を実施するための形態】
【００１３】
第１の発明は、水受け槽内に回転自在に配設した洗濯兼脱水槽と、前記洗濯兼脱水槽を駆動する駆動手段と、前記洗濯兼脱水槽の上部に設けた流体バランサーと、前記洗濯兼脱水槽の内底部に回転自在に配した回転翼とを備え、前記駆動手段はクラッチ機構と前記クラッチ機構の直下に配置したモータを有し、前期水受け槽の底部には前記駆動手段を有した基板を設けるとともに、前記基板は前記クラッチ機構と略同形状とし、前記基板と前記クラッチ機構とを同時に締結する補強板を有することにより、加工形状が複雑なことで発生する応力集中や、部品の信頼性の低下、材料費や加工費の増加といった問題を防止することができる。
【００１４】
以下、本発明の実施の形態について、図面を参照しながら説明する。なお、従来例と同じ構成のものは同一符号を付して説明を省略する。また、この実施の形態によって本発明が限定されるものではない。
【００１５】
（実施の形態１）
図１は本発明の実施の形態１における洗濯機の縦断面図を示す図である。図１に示すように、洗濯兼脱水槽２は内壁面に多数の小穴を有し、洗濯兼脱水槽２の内底部に裏面に羽根部を設けた回転翼１を回転自在に配設している。この洗濯兼脱水槽２の外側に水受け槽１１を設けている。水受け槽１１の底面には、洗濯兼脱水槽２と回転翼１を駆動するモータ５を取りつけ、駆動の切換を行うクラッチ機構７を介して、洗濯兼脱水槽２また回転翼１を駆動するように構成している。水受け槽１１は外枠４にサスペンション３を介して防振支持している。洗濯兼脱水槽２の上部には、液体を内封した流体バランサー１０を固定している。
【００１６】
図２（ａ）は洗濯機を水受け槽１１の底部から見た矢視図であり、図２（ｂ）および（ｃ）は同様に見た時の基板６および補強板１３の平面図である。
【００１７】
駆動手段１４は、クラッチ機構７とクラッチ機構７の直下に配置したモータ５を有し、基板６に固定されている。水受け槽１１の底部には基板６を設け、基板６はクラッチ機構７を水受け槽１１の底面から見た平面形状と略同形状とし、基板６とクラッチ機構７とを同時に締結する補強板１３を有する。補強板１３を設けることで、駆動手段１４の固定がしやすくなり、基板６の形状を簡素にすることができている。
【００１８】
制御装置１２は、モータ５、排水弁８、給水弁９などを制御して、洗濯、すすぎ、脱水の一連の行程を逐次制御するものである。
【００１９】
洗濯兼脱水槽２に洗濯物と所定量の洗剤を投入した後、洗濯を開始すると制御装置１２により給水弁９を制御して洗濯兼脱水槽２内に所定量の水を給水し、その後、制御装置１２により、モータ５を制御して回転翼１を駆動する。回転翼１の回転によって洗濯兼脱水槽２内の洗濯物と水とを攪拌し、洗濯物の汚れに作用することとなる。脱水時にはクラッチ機構７を切り替えることにより、洗濯兼脱水槽２を高速回転し、遠心力により内包した衣類の水分を除去し、脱水をすることとなる。
【００２０】
図３（ａ）および（ｂ）は、従来の洗濯機を水受け槽の底部から見た矢視図、および同様に見た時の基板３６の平面図を示しているが、基板６と基板３６の大きさの差は歴然であり、基板６は従来の基板３６に比べて、形状が円に近いので重量バランスが良く水受け槽１１に不要な振動を発生させにくい。また、基板６は従来の基板３６に比べて、面積が小さいので軽量で材料費が安く低コストとなり、また凹凸形状が少ないので加工が容易で応力集中が生じにくくなる。
【００２１】
このように、加工形状が複雑なことで発生する応力集中や、部品の信頼性の低下、材料費や加工費の増加といった問題を防止することができる。
【００２２】
以上のように本発明によれば、水受け槽底部を覆い隠すほどの大きさを要していた基板を小型化し、加工を容易にできるようにすることで応力集中を低減し、部品の信頼性の向上や、材料費や加工費の低減がなされ、信頼性の高い安価な洗濯機を実現することができる。
【産業上の利用可能性】
【００２３】
以上のように、本発明にかかる洗濯機は、水受け槽底部への駆動手段の固定に必要となる基板を、加工しやすい形状にすることで、基板の応力集中をなくし、材料費や加工費を低減し、部品の信頼性を向上させることができるので、ドラム式洗濯機等の用途にも適用できる。
【符号の説明】
【００２４】
１    回転翼
２    洗濯兼脱水槽
５    モータ
６    基板
７    クラッチ機構
１０  流体バランサー
１１  水受け槽
１３  補強板
１４  駆動手段
【図１】
2013126474.tif 000003
【図２】
2013126474.tif 000004
【図３】
2013126474.tif 000005
【図４】
2013126474.tif 000006